(57)【特許請求の範囲】
【請求項１】
一対のロッドの少なくとも一端側部分に雄ねじが形成され、両雄ねじがターンバックルの雌ねじに螺合されており、ターンバックルの回転によって一対のロッドの他端間を引寄せ、ターンバックルの逆回転によって一対のロッドの他端間を離間させるようにしたブレースにおいて、
一対のうちの一方のロッド(20)の少なくとも一端側部分には右ねじの雄ねじ(20A)が形成され、他方のロッド(30)には一方のロッド(20)の雄ねじ(20A)のピッチよりも大きなピッチの右ねじの雄ねじ(30A)を有するねじ節鉄筋が用いられ、ターンバックル(10)の両端部分にはピッチの異なる右ねじの雌ねじ(10A,10B)が形成され、ロッド(20,30)の雄ねじ(20A,30A)がターンバックル(10)の雌ねじ(10A,10B)に螺合されており、
ターンバックル(10)の回転によって一方のロッド(30)が雄ねじ(30A)の大きいピッチだけターンバックル(10)内に引き込まれ、他方のロッド(20)が雄ねじ(20A)の小さいピッチだけターンバックル(10)から押し出され、両ピッチの差だけ一対のロッド(20,30)の他端が相互に引寄せられるようになっていることを特徴とするブレース。
【請求項２】
一方のロッド(20)の小さいピッチの雄ねじ(20A)にはターンバックル(10)の外側にロックナット(40)が螺合されてターンバックル(10)に当接されることによりターンバックル(10)の緩み止めがなされている請求項１記載のブレース。
【発明の詳細な説明】
【技術分野】
【０００１】
この発明はブレースに関し、特に安価に製造できるようにしたブレースに関する。
【背景技術】
【０００２】
例えば、建築構造物の耐力壁を作る場合、柱と横架材（土台や梁など）の接合部にブレースをたすき掛けで取付け、ターンバックルで締付けることが行われる（特許文献１、特許文献２）。
【０００３】
このブレースを構成するターンバックルでは左右の雌ねじを中心軸線上に対向して形成し、２本のロッドの先端に左右の雄ねじを形成し、ロッドの左の雄ねじ及び右の雄ねじをターンバックルの左の雌ねじ及び右の雌ねじに螺合させ、ターンバックルを回転させて締付ける一方、逆転させて緩めるような構造になっていた（特許文献３）。
【先行技術文献】
【特許文献】
【０００４】
【特許文献１】特開２００５−３１５０１０号公報
【特許文献２】特開２００１−１２３５２９号公報
【特許文献３】特開平０６−３１３４１１号公報
【発明の開示】
【発明が解決しようとする課題】
【０００５】
しかし、従来のブレースでは一方のロッドに逆ねじを形成しなければならず、逆ねじを形成する設備が別途必要となって製造がコスト高になるという問題があった。
【０００６】
本発明はかかる問題点に鑑み、コスト高を招来することなく製造できるようにしたブレースを提供することを課題とする。
【課題を解決するための手段】
【０００７】
本発明に係るブレースは、一対のロッドの少なくとも一端側部分に雄ねじが形成され、両雄ねじがターンバックルの雌ねじに螺合されており、ターンバックルの回転によって一対のロッドの他端間を引寄せ、逆回転によって一対のロッドの他端間を離間させるようにしたブレースにおいて、一対のロッドの少なくとも一端側部分にはピッチの異なる右ねじの雄ねじが形成され、ターンバックルの両端部分にはピッチの異なる右ねじの雌ねじが形成され、ロッドの雄ねじがターンバックルの雌ねじに螺合されており、ターンバックルの回転によって一方のロッドが雄ねじの大きいピッチだけターンバックル内に引き込まれ、他方のロッドが雄ねじの小さいピッチだけターンバックルから押し出され、両ピッチの差だけ一対のロッドの他端が相互に引寄せられるようになっていることを特徴とする。
【０００８】
本発明の特徴の１つはターンバックルにピッチの異なる右ねじお雌ねじを形成し、一対のロッドの一端にピッチの異なる右ねじの雄ねじを形成し、両者を螺合させるようにした点にある。
【０００９】
これにより、ターンバックルを回転させると、大きいピッチの雄ねじを有するロッドがターンバックル内に大きく引き込まれ、小さいピッチの雄ねじを有するロッドがターンバックルから小さく押し出されるので、両ピッチの差だけ２本のロッドの他端を相互に引寄せることができる。
【００１０】
また、ターンバックルを逆転させると、大きいピッチの雄ねじを有するロッドがターンバックルから大きく押し出され、小さいピッチの雄ねじを有するロッドがターンバックル内に小さく引き込まれ、両ピッチの差だけ２本のロッドの他端を相互に離間させることができる。
【００１１】
一対のロッドの少なくとも一端側部分にピッチの異なる雄ねじを形成してもよいが、大きいピッチの雄ねじを有するロッドにはねじ節鉄筋を用いることができる。特に、ねじ節鉄筋はねじ切りの必要がなく、施工現場で必要な長さに切断するだけでよく、入手が容易であり、安価に製造できるので、製造コストを大幅に低コスト化できる。
【００１２】
また、ロッドの小さいピッチの雄ねじにはロックナットを螺合させ、ターンバックルに当接させると、ターンバックルの緩み止めを確実に行うことができる。ロックナットはターンバックルの外側に使用できる。
【図面の簡単な説明】
【００１３】
【図１】本発明に係るブレースの好ましい実施形態を示す概略図である。
【図２】上記実施形態を示す要部拡大図である。
【発明を実施するための形態】
【００１４】
以下、本発明を図面に示す具体例に基づいて詳細に説明する。図１及び図２は本発明に係るブレースの好ましい実施形態を示す。図において、ブレースはターンバックル１０、短ロッド２０、長ロッド３０及びロックナット４０から構成されている。
【００１５】
短ロッド２０は例えば５０ｃｍの棒鋼を用いて製作され、短ロッド２０にはほぼ全長にわたって雄の右ねじ２０Ａが形成され、他端には羽子板２１が固定され、羽子板２１には取付け用ボルトの挿通穴が穿設されている。
【００１６】
長ロッド２０は例えば５ｍのねじ節鉄筋を用いて製作され、ねじ節鉄筋の盛り上がり部３０Ａは短ロッド２０の雄ねじ２０Ａのピッチよりも大きいピッチの雄の右ねじとなっている。また、この長ロッド２０の他端には羽子板３１が固定され、羽子板３１には取付け用ボルトの挿通穴が穿設されている。
【００１７】
ターンバックル１０は鋼材を用いて製作され、両端部には雌ねじ１０Ａ、１０Ｂが形成され、一方の雌ねじ１０Ａは短ロッド２０の雄ねじ２０Ａのピッチに対応したピッチに形成され、他方の雌ねじ１０Ｂは長ロッド３０の雄ねじ３０Ａのピッチに対応したピッチに形成されている。
【００１８】
ターンバックル１０の雌ねじ１０Ａ、１０Ｂには短ロッド２０の雄ねじ２０Ａ及び長ロッド３０の雄ねじ３０Ａが螺合されている。
【００１９】
今、ターンバックル１０を回転させると、長ロッド３０の雄ねじ３０Ａのピッチは短ロッド２０の雄ねじ２０Ａのピッチよりも大きくなっているので、長ロッド３０はターンバックル１０内に大きく引き込まれ（図２の矢印Ｂ参照）、短ロッド２０はターンバックル１０から小さく押し出され（図２の矢印Ａ参照）、両雄ねじ２０Ａ、３０Ａのピッチの差だけ長短のロッド２０、３０の羽子板２１、３１の間隔は狭められる。
【００２０】
そこで、羽子板２１、３１を構造部分、例えば柱と横架材にボルトで固定すると、羽子板２１、３１の間隔が狭くなり、張力を作用させた筋交を構成することができる。
【００２１】
ターンバックル１０を逆転させると、今度は長ロッド３０はターンバックル１０から大きく押し出され、短ロッド２０はターンバックル１０内に小さく引き込まれ、両雄ねじ２０Ａ、３０Ａのピッチの差だけ長短のロッド２０、３０の羽子板２１、３１の間隔は広くなる結果、筋交の張力を自由に調節することができる。
【００２２】
こうしてブレースの張力を調節した後、ロックナット４０を螺進させてターンバックル１０に当接させると、ターンバックル１０が何らかの原因で逆転しようとしても、ロックナット４０がターンバックル１０と競り合って短ロッド２０がターンバックル１０内に引き込まれるのを阻止するので、緩み止めすることができる。
【００２３】
従来の右ねじ及び左ねじのブレースではターンバックルの内側にロックナットをセットしなければならず、ロックナットの使用が実質的に不可能であった。本例のブレースではロックナット４０の使用が容易である点で、従来のブレースと大きく異なっている。
【００２４】
なお、上記の例ではロッド２０、３０の他端に羽子板２１、３１を固定したが、フック又はリングを固定し又は形成してもよい。
【符号の説明】
【００２５】
１０      ターンバックル
１０Ａ  １０Ｂ    雌ねじ
２０      短ロッド
２０Ａ    雄ねじ
２１      羽子板
３０      長ロッド
３０Ａ    雄ねじ
３１      羽子板
４０      ロックナット
【図１】
0005603577.tif 000002
【図２】
0005603577.tif 000003